(57)【要約】【課題】温度環境の変化に柔軟に対応することが可能であり、しかも、服装の乱れや皺などが生じないフォーマルウェアの上着を提供することにある。【解決手段】ベスト１０の後身頃１２の表生地１５と裏生地１６との間にスペース１８が形成されている。裏生地１６には、その中央に上下方向に長い開口２１が形成されており、その開口２１を開閉するためのスライドファスナー２０が取り付けられている。開口２１は、スペース１８に通じており、開口２１から保温シート２５をスペース１８の内部に収納することができる。ベスト１０にはスナップボタン３０が設けられており、これによってスペース１８内で保温シート２５を固定したり、不必要のときはスナップボタン３０を解除して保温シート２５を取り外すことができる。【選択図】図２
2013083011.tif 000002
【特許請求の範囲】
【請求項１】
後身頃の表生地と裏生地との間に収納部が形成されたフォーマルウェアの上着であって、
上記裏生地が上記後身頃の上下方向に沿って切り込まれて形成された開口の縁部に該開口を開閉させるスライドファスナーが設けられており、上記開口を通じて上記収納部に収納可能なように形成されたシート状の保温材が上記収納部の内部に着脱可能に取り付けられていることを特徴とする上着。
【請求項２】
上記保温材の上端部に留め具が設けられており、上記収納部の上部に上記留め具と係合可能な係合部が設けられており、上記留め具が上記係合部に係止されることによって上記保温材が上記収納部の内部で吊り下げられるように支持される請求項１に記載の上着。
【請求項３】
上記スライドファスナーは、コンシールファスナーである請求項１又は２に記載の上着。
【発明の詳細な説明】
【技術分野】
【０００１】
本発明は、後身頃の表生地と裏生地との間に収納部が形成された上着に関し、特に、所謂フォーマルウェアの上着に関する。
【背景技術】
【０００２】
従来、ジャケット等の上着においては、後身頃の表生地と裏生地との間に収納部が形成されたものが知られている（特許文献１及び特許文献２参照）。特許文献１及び特許文献２に記載の上着は、いずれも、後身頃の裏生地に開口が形成されており、その開口から収納部に保温材や発熱体を収納可能に構成されている。これにより、着用者は、寒さの程度に応じて上記保温材等を上記収納部に収納したり上記収納部から取り外したりすることができるようになり、１着の上着で幅広い温度変化に対する防寒対応が可能となる。
【先行技術文献】
【特許文献】
【０００３】
【特許文献１】実開昭５６−１３４３１４号公報
【特許文献２】実開昭６３−６９１０６号公報
【発明の概要】
【発明が解決しようとする課題】
【０００４】
ところで、近年、省エネルギー問題等が考慮されて、冬季に過度に暖房に頼らずに摂氏２０度程度の温度環境下で過ごそうという啓蒙活動が行われている。しかしながら、社会ではこのような活動に賛同して暖房の温度設定値を低く設定する地域・事業者が存在する一方で、ビジネス効率を最優先して従来どおり摂氏２８度程度に設定する地域・事業者も存在している。このように温度環境の異なる近年の社会環境においては、例えば低温環境に合わせて服装を整えていたビジネスマンが滞在場所を低音環境から高温環境へ変えた場合に、汗ばむ暑さに対応できない服装に対して不快感を抱く。また、逆に、高温環境に合わせて服装を整えていたビジネスマンが滞在場所を高温環境から低音環境へ変えた場合は、凍える寒さに対応できない服装に対して不快感を抱く。このような場合に、上述の従来の上着があれば、脱いだ上着を持ち歩いたり、寒さに凍えることなく、温度環境の変化に柔軟に対応することができると思われる。
【０００５】
しかしながら、前掲の特許文献１及び２に記載の従来の上着は、体を温める機能を重視した実用性の高いものであって、例えばアウトドアウェアや登山用ウェア、作業者用の防寒着などに好ましく用いられるものである。言い換えると、従来の上着は、あらゆるタイプの上着として好ましく適用されるものではない。例えば、フォーマルな場面やビジネスにおいて着用されるスーツやタキシード、又はこれらと合わせて着用されるベストなどの所謂フォーマルウェアの上着に従来の上着に施された工夫を適用すると、保温材が収容部に収納されたときに服装が乱れたり、外衣に現れる着用者のボディラインが崩れたりするという問題がある。フォーマルな場面やビジネスの場面では、このような問題は軽視できない。
【０００６】
そこで、本発明は、上記事情に鑑みてなされたものであり、温度環境の変化に柔軟に対応することが可能であり、しかも、収納された保温材を原因とする服装の乱れやボディラインの崩れを防止することが可能なフォーマルウェアの上着を提供することにある。
【課題を解決するための手段】
【０００７】
(1)  本発明は、後身頃の表生地と裏生地との間に収納部が形成されたフォーマルウェアの上着であって、上記裏生地が上記後身頃の上下方向に沿って切り込まれて形成された開口の縁部に該開口を開閉させるスライドファスナーが設けられており、上記開口を通じて上記収納部に収納可能なように形成されたシート状の保温材が上記収納部の内部に着脱可能に取り付けられていることを特徴とする上着として構成されている。なお、フォーマルウェアは、フォーマルな場面やビジネスにおいて着用されるスーツやタキシード、又はこれらと合わせて着用されるベストなどである。
【０００８】
このように構成されているため、寒いときは収納部に保温材を取り付け、暑いときは収納部から保温材を取り外すことにより、温度環境の変化に柔軟に対応することができる。また、シート状の保温材が用いられているため、保温材を収納部に取り付けても、フォーマルウェアの着用時における服装の乱れが生じず、また、上着に現れる着用者のボディラインが崩れることもない。つまり、本発明は、皺などの服装の乱れやボディーラインの崩れが好ましくないフォーマルウェアの上着に好適である。
【０００９】
(2)  上記保温材の上端部に留め具が設けられている。また、上記収納部の上部に上記留め具と係合可能な係合部が設けられている。上記留め具が上記係合部に係止されることによって上記保温材が上記収納部の内部で吊り下げられるように支持される。
【００１０】
これにより、保温材を簡単に収納部の内部に取り付けることができ、また、収納部から保温材を簡単に取り外すことができる。また、着用者が上半身を動かしても、収容部内ではその動きに追従して保温材がずれてくれるため、保温材の皺寄せによる服装の乱れは生じない。また、着用者はストレスなく上半身を動かすことができる。
【００１１】
(3)  上記スライドファスナーは、コンシールファスナーであることが好ましい。
【００１２】
これにより、開口の縁部にスライドファスナーのテープやエレメントが表れないため、高いファッション性を維持することができる。
【発明の効果】
【００１３】
本発明によれば、温度環境の変化に柔軟に対応することが可能であり、しかも、収納された保温材を原因とする服装の乱れやボディラインの崩れを防止することが可能である。
【図面の簡単な説明】
【００１４】
【図１】図１は、本発明の実施形態に係るベスト１０の構成を示す模式図である。
【図２】図２は、ベスト１０の内面展開図である。
【図３】図３は、図２の切断線III-IIIの模式断面図である。
【図４】図４は、ベスト１０の保温シート２５が装着された状態の後身頃１２及び保温シート２５を示す模式図であり、（Ａ）には裏生地１６の一部が切り欠かされた状態の後身頃１２の内面が示されており、（Ｂ）には保温シート２５の正面図が示されている。
【発明を実施するための形態】
【００１５】
以下、適宜図面を参照して本発明の実施形態に係るベスト１０（本発明の上着の一例）について説明する。ベスト１０は、ウェストコートとも称されるものであり、正装や礼装用の上着或いはスーツなどの所謂フォーマルウェアの下に着用して、着用者の胴体部分を覆う袖のない衣服である。つまり、ベスト１０は、本発明のフォーマルウェアの上着の一例である。図１に示されるように、ベスト１０は、前身頃１１と後身頃１２とが縫合されて一体化された構造となっている。後身頃１２は、表生地１５と裏生地１６とが合わせられて、それらの縁部が縫い合わされることにより形成された二重仕立て構造となっている。後身頃１２において、縁部以外の部分は縫合されていない。このように後身頃１２が形成されているため、後身頃１２のほぼ全体に渡って、表生地１５と裏生地１６との間に袋状のスペース１８（図３参照、本発明の収納部の一例）が形成される。
【００１６】
図２に示されるように、後身頃１２の裏面の中央には、スライドファスナー２０（本発明のスライドファスナーの一例）が取り付けられている。スライドファスナー２０は、後身頃１２の裏生地１６がその中央で上下方向に沿って切り込まれた直線状の開口２１を開閉するためのものである。この開口２１は、後身頃１２の内部に形成されたスペース１８に通じている。
【００１７】
スライドファスナー２０は、コイル状のエレメント（務歯とも呼ばれている。）が連続した連続エレメントを有する所謂コイルファスナーである。本実施形態では、コイルファスナーの中でも、閉じられたときにファスナーテープ２２や上記連続エレメントが開口２１の内部に隠されて裏生地１６の外側から見えなくなるように構成されたコンシールファスナーが採用されている。コンシールファスナーが用いられることにより、後身頃１２の裏生地１６にスライドファスナー２０の部材が見えなくなるため、スライドファスナー２０によるベスト１０のファッション性の低下が防止される。なお、ファッション性の低下を容認する場合は、本発明のスライドファスナーとして、コンシールファスナー以外のスライドファスナーを用いてもかまわない。
【００１８】
図３に示されるように、後身頃１２の表生地１５と裏生地１６との間のスペース１８には、保温シート２５（本発明の保温材の一例）が収納されている。この保温シート２５は、例えば、２枚の薄い生地の間に薄いシート状の中綿を挟み入れて、これら３枚のシートが重ねられた状態で縫い合わされたものである。このように構成された保温シート２５は、中綿の空気層が断熱層の役割をすることにより、高い保温力を発揮する。保温シート２５の厚みは、スペース１８に保温シート２５が収納されても後身頃１２が過度に膨れたり、後身頃１２の表生地１５に皺などの乱れが生じたりしないようなサイズに定められている。本実施形態では、保温シート２５は、３ｍｍ〜８ｍｍの厚みに定められている。もちろん、保温シート２５の厚みは、ベスト１０の生地の厚みや材質などに応じて適宜変更可能である。また、図４に示されるように、保温シート２５は、後身頃１２の外形よりも一回り小さいサイズに形成されている。そのため、保温シート２５は、スペース１８に収納されたときにスペース１８の全体にフィットする。なお、上述した構成の保温シート２５に限られず、保温性を有するシート状の保温材であれば、如何なるものでも保温シート２５に代えて用いることが可能である。
【００１９】
図４に示されるように、ベスト１０には、２つのスナップボタン３０が設けられている。スナップボタン３０は、留め具３１と係合部３２とからなり、これらが互いに係合解除可能に構成されている。留め具３１は、保温シート２５の上端部に設けられている。具体的には、留め具３１は、保温シート２５において着用者の両肩それぞれに対応する部位の上端部２６に縫合等によって固定されている。係合部３２は、スペース１８の上部に留め具３１と係合可能な位置に設けられている。具体的には、係合部３２は、スペース１８の上部を区画する生地の裏面、つまり、ベスト１０において着用者の両肩それぞれに当接される部位のスペース１８側の面に縫合等によって固定されている。なお、スナップボタン３０に代えて、カギホックや面ファスナー、バネホックなどの係合解除可能な係合手段を採用してもかまわない。
【００２０】
このようにベスト１０が構成されているため、開口２１を通じて保温シート２５をスペース１８に装着したり、スペース１８から取り外したりすることができる。これにより、例えば、暑いときは、スライドファスナー２０をスライドさせて開口２１を開け、スナップボタン３０の係合を解除して、スペース１８から保温シート２５を取り外すことにより、ベスト１０を周囲の暑い温度環境に対応させることができる。また、寒いときは、スライドファスナー２０をスライドさせて開口２１を開けて、開口２１から保温シート２５をスペース１８に収納し、２つのスナップボタン３０を係合することにより、保温シート２５を簡単に取り付けることができる。つまり、ベスト１０を周囲の温度環境に対応させることができる。
【００２１】
また、本実施形態の保温シート２５は比較的薄い形状であり、着用者の背中全体を覆うように後身頃１２の全体に配置されているため、保温シート２５がスペース１８に取り付けられても、ベスト１０に皺などの乱れが生じず、また、ベスト１０の着用時にベスト１０の外面に現れる着用者のボディラインが崩れることもない。
【００２２】
また、保温シート２５をスペース１８の内部に取り付けるためのスナップボタン３０がスペース１８の上部に設けられているため、保温シート２５が取り付けられた状態で、保温シート２５はスペース１８の内部で吊り下げられるようにして支持される。このため、着用者が上半身を動かしてベスト１０に捻りや撓みが加えられても、スペース１８内で保温シート２５が上半身の動きに追従してずれ動く。これにより、保温シート２５が常にスペース１８の内部で後身頃１２にフィットするため、保温シート２５の皺寄せなどによるベスト１０の乱れは生じない。また、着用者はストレスなく上半身を動かすことができる。
【００２３】
なお、上述の実施形態では、フォーマルウェアの下に着用されるベスト１０を例示して本発明を説明したが、本発明は、フォーマルな場面やビジネスにおいて着用されるスーツやタキシードなどのフォーマルウェアの上着にも適用可能である。
【産業上の利用可能性】
【００２４】
本発明は、後身頃の表生地と裏生地との間に収納部が形成された上着に利用可能であり、特に、フォーマルウェアの上着に利用可能である。
【符号の説明】
【００２５】
１０：ベスト
１１：前身頃
１２：後身頃
１５：表生地
１６：裏生地
１８：スペース
２０：スライドファスナー
２１：開口
２２：ファスナーテープ
２５：保温シート
２６：上端部
３０：スナップボタン
３１：留め具
３２：係合部
【図１】
2013083011.tif 000003
【図２】
2013083011.tif 000004
【図３】
2013083011.tif 000005
【図４】
2013083011.tif 000006